(57)【要約】【課題】橋脚の工期を短縮する。【解決手段】橋脚３を構成する脚柱部３Ａは高さ方向に沿って複数の層Ｌを有している。各層Ｌには、脚柱部３Ａの周方向に沿って２分割されたプレキャスト部材Ｐ，Ｐが設置されている。プレキャスト部材Ｐは、脚柱部３Ａを現場で組み立てるために、工場等で予め成形されたコンクリート製の構成部品である。高さ方向に隣接するプレキャスト部材Ｐ，Ｐ同士は鉛直継手ＪＶで互いに連結され、脚柱部３Ａの周方向に隣接するプレキャスト部材Ｐ，Ｐ同士は水平継手ＪＨで互いに連結されている。【選択図】図３
2020133227.tif 000002
【特許請求の範囲】
【請求項１】
高さ方向に沿って分割された複数の層の各々にプレキャスト部材が設置された柱部を備え、
前記プレキャスト部材は、
前記高さ方向に沿って延在し、かつ、前記柱部の周方向に沿って離れて設けられた複数の第１筋と、
前記第１筋に対して交差するように設けられた複数の第２筋と、
前記高さ方向に隣接する前記プレキャスト部材同士を連結する第１の継手と、
を有することを特徴とする橋脚。
【請求項２】
前記第１の継手は、前記高さ方向に隣接する前記プレキャスト部材同士のうちの一方に設けられた第１の凸部と、前記高さ方向に隣接する前記プレキャスト部材同士のうちの他方において前記第１の凸部の形成面に対向する面に設けられ、前記第１の凸部が挿入される第１の凹部とを有することを特徴とする請求項１記載の橋脚。
【請求項３】
前記複数の層の少なくとも１つの層には、前記プレキャスト部材として、前記柱部の周方向に沿って分割された複数の第１のプレキャスト部材が配置されており、前記第１のプレキャスト部材は、前記柱部の周方向に隣接する前記第１のプレキャスト部材同士を連結する第２の継手を有することを特徴とする請求項１または２記載の橋脚。
【請求項４】
前記複数の層の少なくとも１つの層には、前記柱部の周方向に沿って２分割された前記第１のプレキャスト部材が設置されていることを特徴とする請求項３記載の橋脚。
【請求項５】
前記複数の層の少なくとも１つの層には、前記柱部の周方向に沿って４分割された前記第１のプレキャスト部材が設置されていることを特徴とする請求項３または４記載の橋脚。
【請求項６】
前記第２の継手は、前記柱部の周方向に隣接する前記第１のプレキャスト部材同士のうちの一方に設けられた第２の凸部と、前記柱部の周方向に隣接する前記第１のプレキャスト部材同士のうちの他方において前記第２の凸部に対向する面に設けられ、前記第２の凸部が挿入される第２の凹部とを有することを特徴とする請求項３〜５のいずれか１項に記載の橋脚。
【請求項７】
前記複数の層の少なくとも１つの層には、前記柱部の周方向に沿って４分割された前記第１のプレキャスト部材が設置されており、前記第１のプレキャスト部材において、前記柱部の周方向に隣接する一方の前記第１のプレキャスト部材が対向する一方の面には前記第２の凸部が設けられ、前記柱部の周方向に隣接する他方の前記第１のプレキャスト部材が対向する他方の面には前記第２の凹部が設けられていることを特徴とする請求項６記載の橋脚。
【請求項８】
前記複数の層の少なくとも１つの層には、前記柱部の周方向に沿って４分割された前記第１のプレキャスト部材が設置されており、前記柱部の周方向に隣接する他の前記第１のプレキャスト部材が対向する２つの対向面に前記第２の凸部が設けられた前記第１のプレキャスト部材と、前記柱部の周方向に隣接する他の前記第１のプレキャスト部材が対向する２つの対向面に前記第２の凹部が設けられた前記第１のプレキャスト部材とが、前記柱部の周方向に沿って交互に配置されていることを特徴とする請求項６記載の橋脚。
【請求項９】
前記複数の層のうちの２以上の層に、前記第１のプレキャスト部材が設置されており、前記高さ方向に隣接する前記第１のプレキャスト部材同士の接触位置が、前記柱部の周方向に隣接する前記第１のプレキャスト部材毎に前記高さ方向にずれていることを特徴とする請求項３〜８のいずれか１項に記載の橋脚。
【請求項１０】
前記複数の層のうちの２以上の層に、前記第１のプレキャスト部材が設置されており、前記柱部の周方向に隣接する前記第１のプレキャスト部材同士の接触位置が、前記高さ方向に隣接する前記第１のプレキャスト部材毎に前記柱部の周方向にずれていることを特徴とする請求項３〜８のいずれか１項に記載の橋脚。
【請求項１１】
前記複数の層の少なくとも１つの層には、前記プレキャスト部材として、前記柱部の周方向に沿って分割されていない単体構造の第２のプレキャスト部材が設置されていることを特徴とする請求項１〜１０いずれか１項に記載の橋脚。
【請求項１２】
前記第２のプレキャスト部材が、前記複数の層のうちの最上層に設置されていることを特徴とする請求項１１記載の橋脚。
【請求項１３】
請求項１〜１２のいずれか１項に記載の橋脚の施工方法において、前記プレキャスト部材を前記高さ方向に積み上げるとともに、前記高さ方向に隣接する前記プレキャスト部材同士を前記第１の継手で連結することで前記柱部を形成する工程を有することを特徴とする橋脚の施工方法。
【発明の詳細な説明】
【技術分野】
【０００１】
本発明は、橋脚および橋脚の施工方法に関するものである。
【背景技術】
【０００２】
一般に、橋梁の架設工事は、下部工と上部工とを有している。下部工は、地盤に基礎部を形成した後、その上に橋脚を形成する作業を有し、上部工は、複数設置された橋脚の間に橋桁を架設した後、その上に床版や側壁等を形成する作業を有している。
【０００３】
橋脚を形成する作業は、例えば、鉄筋の組立、その鉄筋を取り囲む型枠の建込み及びその型枠内へのコンクリート打設の作業を有している。この橋脚の形成作業では、１度に造る高さが決まっていて、計画の高さになるまで、鉄筋の組立、型枠の建込およびコンクリート打設の一連の作業を繰り返す。そして、計画の高さになったら型枠を解体して橋脚の完成となる。
【０００４】
なお、橋脚の構築工法や解体工法等については、例えば、特許文献１に記載があり、上方および側方から制限を受ける中で橋脚を形成する技術が開示されている。この特許文献１では、まず、橋桁直下において橋脚の柱基部上の地面に近い位置で、橋脚の柱頭部を組み立てる。この時、柱頭部の張出部が橋桁の幅方向両側の道路において交通障害を招くことがないように、柱頭部の長手方向（張出方向）が橋桁の長手方向に沿うように柱頭部を配置する。続いて、リフトアップ回転装置で柱頭部をリフトアップし、柱頭部の高さが橋桁の幅方向両側の道路で交通障害とならない高さになったら、リフトアップ回転装置で柱頭部を水平面内において９０°回転させて橋桁下に設置する。その後、柱基部と柱頭部との間に柱中間部を設置することで橋脚を形成する。また、例えば、特許文献２，３には、都市トンネルの内壁として用いられる複数のセグメント間を雄雌の継手で接合する構造が開示されている。さらに、例えば、特許文献４には、建築分野におけるプレキャスト柱梁部材の組立方法が開示されている。
【先行技術文献】
【特許文献】
【０００５】
【特許文献１】特開平８−２９６２１０号公報
【特許文献２】特開平１１−２１０３９０号公報
【特許文献３】特開２００１−１７３３７４号公報
【特許文献４】特開２０１１−２２００４０号公報
【発明の概要】
【発明が解決しようとする課題】
【０００６】
しかし、橋梁を構成する橋脚の施工（新築、解体および改修）では、交通への影響を最小限に抑えることや高所での作業を伴うこと等から、如何にして作業効率を高めて工期を短縮するかが重要な課題となっている。
【０００７】
本発明は、上述の技術的背景からなされたものであって、橋脚の工期を短縮することを目的とする。
【課題を解決するための手段】
【０００８】
上記課題を解決するため、請求項１に記載の本発明の橋脚は、高さ方向に沿って分割された複数の層の各々にプレキャスト部材が設置された柱部を備え、前記プレキャスト部材は、前記高さ方向に沿って延在し、かつ、前記柱部の周方向に沿って離れて設けられた複数の第１筋と、前記第１筋に対して交差するように設けられた複数の第２筋と、前記高さ方向に隣接する前記プレキャスト部材同士を連結する第１の継手と、を有することを特徴とする。
【０００９】
請求項２に記載の発明は、上記請求項１に記載の発明において、前記第１の継手は、前記高さ方向に隣接する前記プレキャスト部材同士のうちの一方に設けられた第１の凸部と、前記高さ方向に隣接する前記プレキャスト部材同士のうちの他方において前記第１の凸部の形成面に対向する面に設けられ、前記第１の凸部が挿入される第１の凹部とを有することを特徴とする。
【００１０】
請求項３に記載の発明は、上記請求項１または２に記載の発明において、前記複数の層の少なくとも１つの層には、前記プレキャスト部材として、前記柱部の周方向に沿って分割された複数の第１のプレキャスト部材が配置されており、前記第１のプレキャスト部材は、前記柱部の周方向に隣接する前記第１のプレキャスト部材同士を連結する第２の継手を有することを特徴とする。
【００１１】
請求項４に記載の発明は、上記請求項３に記載の発明において、前記複数の層の少なくとも１つの層には、前記柱部の周方向に沿って２分割された前記第１のプレキャスト部材が設置されていることを特徴とする。
【００１２】
請求項５に記載の発明は、上記請求項３または４に記載の発明において、前記複数の層の少なくとも１つの層には、前記柱部の周方向に沿って４分割された前記第１のプレキャスト部材が設置されていることを特徴とする。
【００１３】
請求項６に記載の発明は、上記請求項３〜５のいずれか１項に記載の発明において、前記第２の継手は、前記柱部の周方向に隣接する前記第１のプレキャスト部材同士のうちの一方に設けられた第２の凸部と、前記柱部の周方向に隣接する前記第１のプレキャスト部材同士のうちの他方において前記第２の凸部に対向する面に設けられ、前記第２の凸部が挿入される第２の凹部とを有することを特徴とする。
【００１４】
請求項７に記載の発明は、上記請求項６に記載の発明において、前記複数の層の少なくとも１つの層には、前記柱部の周方向に沿って４分割された前記第１のプレキャスト部材が設置されており、前記第１のプレキャスト部材において、前記柱部の周方向に隣接する一方の前記第１のプレキャスト部材が対向する一方の面には前記第２の凸部が設けられ、前記柱部の周方向に隣接する他方の前記第１のプレキャスト部材が対向する他方の面には前記第２の凹部が設けられていることを特徴とする。
【００１５】
請求項８に記載の発明は、上記請求項６に記載の発明において、前記複数の層の少なくとも１つの層には、前記柱部の周方向に沿って４分割された前記第１のプレキャスト部材が設置されており、前記柱部の周方向に隣接する他の前記第１のプレキャスト部材が対向する２つの対向面に前記第２の凸部が設けられた前記第１のプレキャスト部材と、前記柱部の周方向に隣接する他の前記第１のプレキャスト部材が対向する２つの対向面に前記第２の凹部が設けられた前記第１のプレキャスト部材とが、前記柱部の周方向に沿って交互に配置されていることを特徴とする。
【００１６】
請求項９に記載の発明は、上記請求項３〜８のいずれか１項に記載の発明において、前記複数の層のうちの２以上の層に、前記第１のプレキャスト部材が設置されており、前記高さ方向に隣接する前記第１のプレキャスト部材同士の接触位置が、前記柱部の周方向に隣接する前記第１のプレキャスト部材毎に前記高さ方向にずれていることを特徴とする。
【００１７】
請求項１０に記載の発明は、上記請求項３〜８のいずれか１項に記載の発明において、前記複数の層のうちの２以上の層に、前記第１のプレキャスト部材が設置されており、前記柱部の周方向に隣接する前記第１のプレキャスト部材同士の接触位置が、前記高さ方向に隣接する前記第１のプレキャスト部材毎に前記柱部の周方向にずれていることを特徴とする。
【００１８】
請求項１１に記載の発明は、上記請求項１〜１０のいずれか１項に記載の発明において、前記複数の層の少なくとも１つの層には、前記プレキャスト部材として、前記柱部の周方向に沿って分割されていない単体構造の第２のプレキャスト部材が設置されていることを特徴とする。
【００１９】
請求項１２に記載の発明は、上記請求項１１に記載の発明において、前記第２のプレキャスト部材が、前記複数の層のうちの最上層に設置されていることを特徴とする。
【００２０】
請求項１３に記載の発明は、上記請求項１〜１２のいずれか１項に記載の橋脚の施工方法において、前記プレキャスト部材を前記高さ方向に積み上げるとともに、前記高さ方向に隣接する前記プレキャスト部材同士を前記第１の継手で連結することで前記柱部を形成する工程を有することを特徴とする橋脚の施工方法。
【発明の効果】
【００２１】
本発明によれば、橋脚の工期を短縮することが可能となる。
【図面の簡単な説明】
【００２２】
【図１】本実施の形態に係る橋脚を有する橋梁の一例の側面図である。
【図２】図１の基礎部および脚柱部の要部拡大側面図である。
【図３】図２の脚柱部の拡大斜視図である。
【図４】図３の脚柱部の一部を分解して示した分解斜視図である。
【図５】（ａ）は脚柱部の上面側からプレキャスト部材内部の配筋を透かして見せた平面図、（ｂ）は脚柱部の側面側からプレキャスト部材内部の配筋を透かして見せた側面図である。
【図６】（ａ）は高さ方向に隣接するプレキャスト部材同士を連結する継手を脚柱部の上面側から透かして見せた平面図、（ｂ）は高さ方向に隣接するプレキャスト部材同士を連結する継手を脚柱部の側面側から透かして見せた側面図である。
【図７】（ａ）は図６の継手の拡大断面図、（ｂ）は図７（ａ）の下方側の継手の拡大断面図、（ｃ）は図７（ａ）の上方側の継手の拡大断面図である。
【図８】（ａ）は脚柱部の周方向に隣接するプレキャスト部材同士を連結する継手を脚柱部の上面側から透かして見せた平面図、（ｂ）は図８（ａ）のプレキャスト部材同士を分解して示した分解平面図、（ｃ）は図８（ａ）の破線で囲んだ部分の継手の拡大断面図、（ｄ）は図８（ｃ）の一方側の継手の拡大断面図、（ｅ）は図８（ｃ）の他方側の継手の拡大断面図である。
【図９】（ａ）は図８（ｂ）の上側のプレキャスト部材の対向側面を示した側面図、（ｂ）は図８（ｂ）の下側のプレキャスト部材の対向側面を示した側面図、（ｃ）は水平継手の要部拡大斜視図である。
【図１０】（ａ）は脚柱部の周方向に隣接するプレキャスト部材同士を連結する継手の配置の変形例を示す図であってプレキャスト部材同士を分解して示した分解平面図、（ｂ）は図１０（ａ）の上側のプレキャスト部材の対向側面を示した側面図、（ｃ）は図１０（ａ）の下側のプレキャスト部材の対向側面を示した側面図である。
【図１１】脚柱部の組立工程中の側面図である。
【図１２】図１１の工程後の脚柱部の組立工程中の側面図である。
【図１３】図１２の脚柱部の要部斜視図である。
【図１４】図１１の工程後の脚柱部の組立工程の変形例の側面図である。
【図１５】図１２の工程後の脚柱部の組立工程中の側面図である。
【図１６】図１５の脚柱部の要部斜視図である。
【図１７】図２の脚柱部の他の例の拡大斜視図である。
【図１８】図１７の脚柱部の一部を分解して示した分解斜視図である。
【図１９】（ａ）は高さ方向に隣接するプレキャスト部材同士を連結する継手を脚柱部の上面側から透かして見せた平面図、（ｂ）は高さ方向に隣接するプレキャスト部材同士を連結する継手を脚柱部の側面側から透かして見せた側面図である。
【図２０】（ａ）は図１９の継手の拡大断面図、（ｂ）は図２０（ａ）の上方側の継手の拡大断面図、（ｃ）は図２０（ａ）の下方側の継手の拡大断面図である。
【図２１】脚柱部の周方向に隣接するプレキャスト部材同士を連結する継手を脚柱部の上面側から透かして見せるとともに一部のプレキャスト部材を取り出して示した平面図である。
【図２２】（ａ）は脚柱部の上面側から見たときの水平継手の平面図、（ｂ）は脚柱部の側面側から見たときの水平継手の側面図、（ｃ）は図２２（ａ）のＩ−Ｉ線の断面図である。
【図２３】（ａ）は図２２（ａ）の水平継手を分解して示した平面図、（ｂ）は図２２（ｂ）の水平継手を分解して示した側面図、（ｃ）は図２３（ａ）のＩ−Ｉ線の断面図である。
【図２４】（ａ）は図２１の矢印Ｘ１の方向から見たオスオスタイプのプレキャスト部材の側面図、（ｂ）は図２１の矢印Ｘ２の方向から見たメスメスタイプのプレキャスト部材の側面図、（ｃ）はメスメスタイプのプレキャスト部材の対向側面の要部拡大斜視図である。
【図２５】脚柱部の周方向に隣接するプレキャスト部材同士を連結する継手の配置の変形例を示す図であって１つのプレキャスト部材を取り外して示した平面図である。
【図２６】（ａ）は図２５の矢印Ｘ３の方向から見たオスメスタイプのプレキャスト部材の側面図、（ｂ）は図２５の矢印Ｘ４の方向から見たオスメスタイプのプレキャスト部材の側面図、（ｃ）はオスメスタイプのプレキャスト部材の対向側面の要部拡大斜視図である。
【図２７】脚柱部の組立工程中の側面図である。
【図２８】図２７の工程の脚柱部の要部斜視図である。
【図２９】図２７の工程後の脚柱部の側面図である。
【図３０】図２９の工程後の脚柱部の側面図である。
【図３１】図３０の工程後の脚柱部の側面図である。
【図３２】図３１の工程の脚柱部の要部斜視図である。
【図３３】図２の脚柱部の他の例の拡大斜視図である。
【図３４】図２の脚柱部の他の例の拡大斜視図である。
【図３５】図２の脚柱部の他の例の拡大斜視図である。
【図３６】図２の脚柱部の他の例の拡大斜視図である。
【発明を実施するための形態】
【００２３】
以下、本発明の一例としての実施の形態について、図面に基づいて詳細に説明する。なお、実施の形態を説明するための図面において、同一の構成要素には原則として同一の符号を付し、その繰り返しの説明は省略する。
【００２４】
（第１の実施の形態）
【００２５】
図１は本実施の形態に係る橋脚を有する橋梁の一例の側面図である。
【００２６】
橋梁１は、例えば、道路用の橋であり、支持地盤Ｇに設置された基礎部２と、その上に設置された橋脚３と、その上に設置された上部構造体４とを有している。
【００２７】
基礎部２は、橋脚３および上部構造体４からの荷重を支持地盤Ｇに伝え、橋脚３および上部構造体４を支える部分であり、例えば、鉄筋コンクリートにより形成されている。なお、ここでは基礎部２の構造として直接基礎を例示しているが、これに限定されるものではなく、例えば、ケーソン基礎、杭基礎、鋼管矢板基礎または地中連続壁基礎としても良い。
【００２８】
橋脚３は、橋梁１の長手方向中間に設置され、上部構造体４を支える部分（躯体）であり、基礎部２上に設置された脚柱部（柱部）３Ａと、その上に設置された梁部３Ｂとを有している。脚柱部３Ａおよび梁部３Ｂは、例えば、鉄筋コンクリートまたはプレストレスコンクリートにより形成されている。
【００２９】
上部構造体４は、橋脚３の上に架け渡された部分であり、図示はしないが、主桁と、その上に形成された床版と、床版上面に形成された舗装部と、床版上において橋梁１の幅方向両側に設けられた壁高欄とを有している。主桁は、例えば、鋼材、鉄筋コンクリートまたはプレストレスコンクリートにより形成されている。また、床版は、例えば、鋼材、鉄筋コンクリートまたは鋼・コンクリート合成材により形成されている。
【００３０】
次に、図２は図１の基礎部および脚柱部の要部拡大側面図、図３は図２の脚柱部の拡大斜視図、図４は図３の脚柱部の一部を分解して示した分解斜視図である。
【００３１】
図２〜図４に示すように、脚柱部３Ａは、高さ方向に沿って分割された複数の層Ｌを有している。各層Ｌには、プレキャスト部材Ｐが設置されている。プレキャスト部材Ｐは、脚柱部３Ａを現場で組み立てるために、工場等で予め成形されたコンクリート製の構成部品である。
【００３２】
本実施の形態においては、図３および図４に示すように、脚柱部３Ａが、例えば、円柱状に形成されており、各層Ｌのプレキャスト部材Ｐが、例えば、脚柱部３Ａの円周方向に沿って２個に等分割されている（第１のプレキャスト部材）。なお、特に限定されるものではないが、脚柱部３Ａの直径および各プレキャスト部材Ｐの高さ（層厚）は、例えば、１５００ｍｍである。
【００３３】
次に、図５（ａ）は脚柱部の上面側からプレキャスト部材内部の配筋を透かして見せた平面図、図５（ｂ）は脚柱部の側面側からプレキャスト部材内部の配筋を透かして見せた側面図である。
【００３４】
各プレキャスト部材Ｐの内部には、複数の主筋（第１筋）Ｍ１と、複数の帯筋（第２筋）Ｍ２とが互いに交差するように配置されている。主筋Ｍ１および帯筋Ｍ２は、例えば、鋼材により構成されている。主筋Ｍ１は、プレキャスト部材Ｐの高さ方向に沿って直線状に延在しており、プレキャスト部材Ｐの外周に沿って所定の間隔毎に複数並設されている。また、帯筋Ｍ２は、複数の主筋Ｍ１を取り囲み束ねるようにプレキャスト部材Ｐの外周に沿って延在しており、プレキャスト部材Ｐの高さ方向に沿って所定の間隔毎に複数並設されている。
【００３５】
次に、図６（ａ）は高さ方向に隣接するプレキャスト部材同士を連結する継手を脚柱部の上面側から透かして見せた平面図、図６（ｂ）は高さ方向に隣接するプレキャスト部材同士を連結する継手を脚柱部の側面側から透かして見せた側面図、図７（ａ）は図６の継手の拡大断面図、図７（ｂ）は図７（ａ）の下方側の継手の拡大断面図、図７（ｃ）は図７（ａ）の上方側の継手の拡大断面図である。
【００３６】
図６に示すように、各プレキャスト部材Ｐは、高さ方向に隣接するプレキャスト部材Ｐ，Ｐ同士を連結する複数の鉛直継手ＪＶを備えている。鉛直継手ＪＶは、高さ方向に隣接するプレキャスト部材Ｐの対向面内において脚柱部３Ａの外周に沿って所定の間隔毎に配置されている。なお、特に限定されるものではないが、各プレキャスト部材Ｐの対向面内に配置された鉛直継手ＪＶの数は、例えば、１０個である。
【００３７】
図６および図７に示すように、各鉛直継手ＪＶは、ピン部（第１の凸部）ＪＶａ１と、凹部（第１の凹部）ＪＶｂ１とを有している。図６（ｂ）および図７（ａ），（ｂ）に示すように、ピン部ＪＶａ１は、例えば、円柱状に形成されており、プレキャスト部材Ｐの上面から上方に突出するように設けられている。ピン部ＪＶａ１の根元は基部ＪＶｓ１に接合されている。基部ＪＶｓ１の後端面には、プレキャスト部材Ｐ側に向かって延びる２本の固定ピンＪＶｐ１が接合されている。基部ＪＶｓ１および固定ピンＪＶｐ１は、プレキャスト部材Ｐに埋設されており、これによりピン部ＪＶａ１がプレキャスト部材Ｐにしっかりと固定されている。
【００３８】
また、図６（ｂ）および図７（ａ），（ｃ）に示すように、凹部ＪＶｂ１は、その凹んだ側を下に向けた状態でプレキャスト部材Ｐの下面に設けられている。凹部ＪＶｂ１の後端側には、プレキャスト部材Ｐ側に向かって延びる２本の固定ピンＪＶｐ２が接合されている。凹部ＪＶｂ１および固定ピンＪＶｐ２は、プレキャスト部材Ｐに埋設されており、これにより凹部ＪＶｂ１がプレキャスト部材Ｐにしっかりと固定されている。
【００３９】
そして、図６および図７（ａ）に示すように、高さ方向に隣接するプレキャスト部材Ｐ，Ｐ同士は、下側のプレキャスト部材Ｐの上面のピン部ＪＶａ１を、その上側のプレキャスト部材Ｐの下面の凹部ＪＶｂ１内に挿入することで連結されるようになっている。
【００４０】
次に、図８（ａ）は脚柱部の周方向に隣接するプレキャスト部材同士を連結する継手を脚柱部の上面側から透かして見せた平面図、図８（ｂ）は図８（ａ）のプレキャスト部材同士を分解して示した分解平面図、図８（ｃ）は図８（ａ）の破線で囲んだ部分の継手の拡大断面図、図８（ｄ）は図８（ｃ）の一方側の継手の拡大断面図、図８（ｅ）は図８（ｃ）の他方側の継手の拡大断面図である。
【００４１】
図８（ａ）に示すように、各プレキャスト部材Ｐは、脚柱部３Ａの円周方向に隣接するプレキャスト部材Ｐ，Ｐ同士を連結する複数の水平継手ＪＨを備えている。水平継手ＪＨは、脚柱部３Ａの円周方向に隣接するプレキャスト部材Ｐ，Ｐの対向側面内において幅方向両端（図８（ａ）の左右両端側）の近傍の位置に設置されている。
【００４２】
図８（ｂ），（ｃ）に示すように、各水平継手ＪＨは、凸部（第２の凸部）ＪＨａ１と、凹部（第２の凹部）ＪＨｂ１とを有している。図８（ｂ）〜（ｄ）に示すように、凸部ＪＨａ１は、一方のプレキャスト部材Ｐの対向側面から突出するように設けられている。凸部ＪＨａ１の先端近傍の幅方向両端には、凸部ＪＨａ１に対して交差する方向に突出する楔部ＪＨｃ（図８（ｃ），（ｄ）参照）が設けられている。凸部ＪＨａ１の後端部はプレキャスト部材Ｐに埋設されており、これにより凸部ＪＨａ１がプレキャスト部材Ｐにしっかりと固定されている。
【００４３】
一方、図８（ｃ），（ｅ）に示すように、凹部ＪＨｂ１は、その凹んだ側を表側に向けた状態で他方のプレキャスト部材Ｐの対向側面に設けられている。凹部ＪＨｂ１内の先端側には、凹部ＪＨｂ１の幅方向中央に向かって突出する係止部ＪＨｄが設けられている。凹部ＪＨｂ１の後端には２本の固定ピンＪＨｐ１が接続されており、これにより凹部ＪＨｂ１がプレキャスト部材Ｐにしっかりと固定されている。
【００４４】
そして、図８（ｃ）に示すように、脚柱部３Ａの円周方向に隣接するプレキャスト部材Ｐ，Ｐ同士は、一方のプレキャスト部材Ｐの対向側面の凸部ＪＨａ１を、他方のプレキャスト部材Ｐの対向側面の凹部ＪＨｂ１内に挿入することで連結されるようになっている。この場合、凹部ＪＨｂ１内に挿入された凸部ＪＨａ１は、その先端の楔部ＪＨｃが凹部ＪＨｂ１の係止部ＪＨｄに引っ掛かることで係止されるようになっている。
【００４５】
次に、図９（ａ）は図８（ｂ）の上側のプレキャスト部材の対向側面を示した側面図、図９（ｂ）は図８（ｂ）の下側のプレキャスト部材の対向側面を示した側面図、図９（ｃ）は水平継手の要部拡大斜視図である。
【００４６】
図９（ａ）に示すように、一方のプレキャスト部材Ｐの対向側面内において幅方向両端近傍には、上記した水平継手ＪＨの凸部ＪＨａ１が、高さ方向に沿って所定の間隔毎に配置されている（オスオスタイプ）。
【００４７】
一方、図９（ｂ），（ｃ）に示すように、他方のプレキャスト部材Ｐの対向側面内において幅方向両端近傍には、プレキャスト部材Ｐの上面から下面に向かって延び、下面に達しない位置で終端する溝Ｄ１が形成されている。溝Ｄ１は、プレキャスト部材Ｐの上面側から見て凹状に形成されており、その溝Ｄ１内には、上記凸部ＪＨａ１に対向するように高さ方向に沿って所定の間隔毎に複数の凹部ＪＨｂ１が設置されている（メスメスタイプ）。
【００４８】
図９（ｃ）に示すように、水平継手の凸部ＪＨａ１を凹部ＪＨｂ１に挿入するには、凸部ＪＨａ１を凹部ＪＨｂ１の上方の溝Ｄ１内に挿入してから下にスライドさせて凹部ＪＨｂ１内に挿入する。
【００４９】
次に、図１０（ａ）は脚柱部の周方向に隣接するプレキャスト部材同士を連結する継手の配置の変形例を示す図であってプレキャスト部材同士を分解して示した分解平面図、図１０（ｂ）は図１０（ａ）の上側のプレキャスト部材の対向側面を示した側面図、図１０（ｃ）は図１０（ａ）の下側のプレキャスト部材の対向側面を示した側面図である。
【００５０】
図１０に示す例では、各プレキャスト部材Ｐの対向側面に水平継手の凸部ＪＨａ１と凹部ＪＨｂ１とが設けられている（オスメスタイプ）。すなわち、一方のプレキャスト部材Ｐの対向側面において、幅方向の一方の片側端近傍には凸部ＪＨａ１が設けられ、幅方向の他方の片側端近傍には凹部ＪＨｂ１が設けられている。また、他方のプレキャスト部材Ｐの対向側面において、幅方向の一方の片側端近傍には凹部ＪＨｂ１が設けられ、幅方向の他方の片側端近傍には凸部ＪＨａ１が設けられている。凹部ＪＨｂ１は上記と同様に溝Ｄ１内に設置されている。ただし、この場合は、一方のプレキャスト部材Ｐの溝Ｄ１は上側がプレキャスト部材Ｐ１の上面まで形成（溝Ｄ１は上面側が開放）され、他方のプレキャスト部材Ｐの溝Ｄ１は下側がプレキャスト部材Ｐの下面まで形成（溝Ｄ１は下面側が開放）されている。
【００５１】
次に、脚柱部３Ａの組立方法の一例について図１１〜図１６を参照して説明する。図１１は脚柱部の組立工程中の側面図、図１２は図１１の工程後の脚柱部の組立工程中の側面図、図１３は図１２の脚柱部の要部斜視図、図１４は図１１の工程後の脚柱部の組立工程の変形例の側面図、図１５は図１２の工程後の脚柱部の組立工程中の側面図、図１６は図１５の脚柱部の要部斜視図である。
【００５２】
まず、図１１に示すように、型枠（図示せず）内にコンクリートを打設することで支持地盤Ｇ上に鉄筋コンクリート製等の基礎部２を形成する。基礎部２の脚柱部設置面には、上記した鉛直継手ＪＶのピン部ＪＶａ１（図６および図７等参照）がプレキャスト部材Ｐと同様に複数設置されている。
【００５３】
続いて、クレーン車等（図示せず）を用いて上記メスメスタイプのプレキャスト部材Ｐを吊り上げて基礎部２の脚柱部設置面の上方に配置し、プレキャスト部材Ｐの下面の鉛直継手ＪＶの凹部ＪＶｂ１（図６および図７等参照）と、基礎部２の鉛直継手ＪＶのピン部ＪＶａ１（図６および図７等参照）との位置を合わせる。
【００５４】
その後、プレキャスト部材Ｐを下降し、プレキャスト部材Ｐの凹部ＪＶｂ１内に基礎部２のピン部ＪＶａ１を挿入することで、図１２および図１３に示すように、基礎部２上にメスメスタイプのプレキャスト部材Ｐを設置する。
【００５５】
次いで、クレーン車等（図示せず）を用いて上記オスオスタイプのプレキャスト部材Ｐを吊り上げて基礎部２上のメスメスタイプのプレキャスト部材Ｐの上方に配置する。この時、オスオスタイプのプレキャスト部材Ｐの対向側面が既設のメスメスタイプのプレキャスト部材Ｐの対向側面に対向するように配置する。
【００５６】
続いて、オスオスタイプのプレキャスト部材Ｐの水平継手ＪＨの凸部ＪＨａ１（図９（ｃ）参照）を既設のメスメスタイプのプレキャスト部材Ｐの対向側面の溝Ｄ１に挿入した後（この際、オスオスタイプのプレキャスト部材Ｐの下面の鉛直継手ＪＶの凹部ＪＶｂ１（図６参照）と基礎部２の鉛直継手ＪＶのピン部ＪＶａ１（図６参照）との位置が合う）、オスオスタイプのプレキャスト部材Ｐを下降する。
【００５７】
なお、基礎部２の上方に障害物が有る場合には、図１４に示すように、オスオスタイプのプレキャスト部材Ｐを既設のメスメスタイプのプレキャスト部材Ｐのほぼ横に配置する。このとき、オスオスタイプのプレキャスト部材Ｐの水平継手ＪＨの凸部ＪＨａ１の高さが、メスメスタイプのプレキャスト部材Ｐの水平継手ＪＨの凹部ＪＨｂ１の高さより若干高い位置になるようにする。続いて、オスオスタイプのプレキャスト部材Ｐをメスメスタイプのプレキャスト部材Ｐに向かって横方向（水平方向）近づけて、オスオスタイプのプレキャスト部材Ｐの水平継手ＪＨの凸部ＪＨａ１を溝Ｄ１内に挿入した後、オスオスタイプのプレキャスト部材Ｐを下降する。
【００５８】
上記のようにしてプレキャスト部材Ｐを下降することにより、図１５および図１６に示すように、オスオスタイプのプレキャスト部材Ｐの水平継手ＪＨの凸部ＪＨａ１をメスメスタイプのプレキャスト部材Ｐの水平継手ＪＨの凹部ＪＨｂ１内に挿入するとともに、オスオスタイプのプレキャスト部材Ｐの鉛直継手ＪＶのピン部ＪＶａ１を基礎部２の鉛直継手ＪＶの凹部ＪＶｂ１内に挿入する。これにより、オスオスタイプのプレキャスト部材Ｐを基礎部２上に設置する。このような工程を繰り返すことで、複数のプレキャスト部材Ｐを積み上げるとともに、高さ方向に隣接するプレキャスト部材，ＰＰ同士を鉛直継手ＪＶで連結し、かつ、脚柱部３Ａの周方向に隣接するプレキャスト部材Ｐ，Ｐ同士を水平継手ＪＨで連結して図２に示した脚柱部３Ａを組み立てる。なお、上記の説明では、メスメスタイプのプレキャスト部材Ｐを設置した後にオスオスタイプのプレキャスト部材Ｐを設置した場合について説明したが、その逆でも良い。その場合は、溝Ｄ１は下面側が開放された形状であることが望ましい。
【００５９】
本実施の形態においては、予め製造されたプレキャスト部材Ｐを現場で組み立てることで脚柱部３Ａを形成することができるので、脚柱部３Ａの組立期間を短縮することができる。これにより、橋脚３の工期を短縮することができる。このため、交通への影響を小さくすることができる。また、橋脚３の工費を低減することができる。
【００６０】
また、脚柱部３Ａの各層Ｌ内を２個のプレキャスト部材Ｐに分割したことにより、個々のプレキャスト部材Ｐを軽くすることができるので、脚柱部３Ａの組立時に個々のプレキャスト部材Ｐの取り扱いを容易にすることができる。
【００６１】
（第２の実施の形態）
【００６２】
図１７は図２の脚柱部の他の例の拡大斜視図、図１８は図１７の脚柱部の一部を分解して示した分解斜視図である。
【００６３】
本実施の形態においては、図１７および図１８に示すように、脚柱部３Ａの各層Ｌのプレキャスト部材Ｐが、例えば、脚柱部３Ａの円周方向に沿って４個に等分割されている（第１のプレキャスト部材）。なお、特に限定されるものではないが、脚柱部３Ａの直径は、例えば、１５００ｍｍ、各プレキャスト部材Ｐの高さ（層厚）は、例えば、２０００ｍｍ、１個のプレキャスト部材Ｐの重量は、例えば、２．２ｔである。
【００６４】
この場合もプレキャスト部材Ｐは、例えば、鉄筋コンクリートで形成されており、その内部には、その外形に合わせて、図５に示したように、複数の主筋Ｍ１と、複数の帯筋Ｍ２とが互いに交差するように配置されている。
【００６５】
また、図１８に示すように、各プレキャスト部材Ｐは、高さ方向に隣接するプレキャスト部材Ｐ，Ｐ同士を連結する複数の鉛直継手ＪＶ（ピン部ＪＶａ２および凹部ＪＶｂ２）を備えている。鉛直継手ＪＶ（ピン部ＪＶａ２および凹部ＪＶｂ２）は、高さ方向に隣接するプレキャスト部材Ｐの対向面内において脚柱部３Ａの外周に沿って所定の間隔毎に配置されている。なお、特に限定されるものではないが、各プレキャスト部材Ｐに配置された鉛直継手ＪＶの数は、例えば、５個、ピン部ＪＶａ２の突出長は、例えば、１００ｍｍ程度である。
【００６６】
また、各プレキャスト部材Ｐは、脚柱部３Ａの円周方向に隣接するプレキャスト部材Ｐ，Ｐ同士を連結する複数の水平継手ＪＨを備えている。水平継手ＪＨは、脚柱部３Ａの円周方向に隣接するプレキャスト部材Ｐ，Ｐの対向側面内において幅方向片端（脚柱部３Ａの外周側面側）の近傍に配置されている。
【００６７】
次に、図１９（ａ）は高さ方向に隣接するプレキャスト部材同士を連結する継手を脚柱部の上面側から透かして見せた平面図、図１９（ｂ）は高さ方向に隣接するプレキャスト部材同士を連結する継手を脚柱部の側面側から透かして見せた側面図、図２０（ａ）は図１９の継手の拡大断面図、図２０（ｂ）は図２０（ａ）の上方側の継手の拡大断面図、図２０（ｃ）は図２０（ａ）の下方側の継手の拡大断面図である。
【００６８】
図１９および図２０に示すように、本実施の形態においても、各鉛直継手ＪＶは、ピン部ＪＶａ２と、凹部ＪＶｂ２とを有している。ただし、この例では、ピン部ＪＶａ２および凹部ＪＶｂ２の配置が逆になっている。すなわち、ピン部ＪＶａ２はプレキャスト部材Ｐの下面から下方に突出するように設けられ、凹部ＪＶｂ２は、その凹んだ側を上に向けた状態でプレキャスト部材Ｐの上面に設けられている。
【００６９】
また、図２０（ａ），（ｂ）に示すように、ピン部ＪＶａ２の根本は基部ＪＶｓ２と接合されている。基部ＪＶｓ２は、例えば、円柱形状に形成されており、その後端面には、固定ピンＪＶｐ３が接合されている。基部ＪＶｓ２および固定ピンＪＶｐ３は、プレキャスト部材Ｐに埋設されており、これによりピン部ＪＶａ２がプレキャスト部材Ｐにしっかりと固定されている。
【００７０】
また、ピン部ＪＶａ２の外形は、基部ＪＶｓ２から先端に向かって次第に縮径するように略円錐台形状に形成されている。また、ピン部ＪＶａ２は、その幅方向中央にピン部ＪＶａ２の先端から基部ＪＶｓ２に向かって延びる溝Ｄｓ１（スリット）が形成され２分割されている。これにより、ピン部ＪＶａ２は、板バネとしての機能を有しており、外圧により縮径方向に撓むことが可能な構成になっている。さらに、ピン部ＪＶａ２の２つの先端部の外周側には、ピン部ＪＶａ２の径方向に突出する爪部ＪＶａｎが形成されている。
【００７１】
一方、図２０（ａ），（ｃ）に示すように、凹部ＪＶｂ２は、プレキャスト部材Ｐの外方から内方に向かって次第に縮径するように形成されているとともに、その先端側に大径となる拡大空間ＪＶｒが形成されている。なお、符号ＪＶｗは支持板（ワッシャー）を示している。
【００７２】
そして、図２０（ａ）に示すように、高さ方向に隣接するプレキャスト部材Ｐ，Ｐ同士は、上側のプレキャスト部材Ｐの下面のピン部ＪＶａ２を、その下側のプレキャスト部材Ｐの上面の凹部ＪＶｂ２内に挿入する（押し込む）ことで連結されるようになっている。すなわち、ピン部ＪＶａ２を凹部ＪＶｂ２内に挿入していくと凹部ＪＶｂ２の径が小さくなるので、ピン部ＪＶａ２の２つの先端部の爪部ＪＶａｎが凹部ＪＶｂ２の内壁に押されて互いに接近する方向にピン部ＪＶａ２が撓む。ここでさらに、ピン部ＪＶａ２を凹部ＪＶｂ２内に押し込み、ピン部ＪＶａ２の２つの先端部の爪部ＪＶａｎが拡大空間ＪＶｒ内に達すると、ピン部ＪＶａ２の２つの先端部の爪部ＪＶａｎが凹部ＪＶｂ２の内壁からの圧力から解放されるので、ピン部ＪＶａ２の板バネの作用により元の位置に戻る。その結果、ピン部ＪＶａ２の２つの先端部の爪部ＪＶａｎが拡大空間ＪＶｒ内で引っ掛かることでピン部ＪＶａ２が凹部ＪＶｂ２内に係止されるようになっている。
【００７３】
次に、図２１は脚柱部の周方向に隣接するプレキャスト部材同士を連結する継手を脚柱部の上面側から透かして見せるとともに一部のプレキャスト部材を取り出して示した平面図である。
【００７４】
図２１に示すように、各プレキャスト部材Ｐは、脚柱部３Ａの円周方向に隣接するプレキャスト部材Ｐ，Ｐ同士を連結する複数の水平継手ＪＨを備えている。水平継手ＪＨは、脚柱部３Ａの円周方向に隣接するプレキャスト部材Ｐ，Ｐの対向側面内において幅方向の片側端（脚柱部３Ａの外周側）の近傍に配置されている。
【００７５】
各水平継手ＪＨは、凸部（第２の凸部）ＪＨａ２と、凹部（第２の凹部）ＪＨｂ２とを有している。この例では、層Ｌ内に、凸部ＪＨａ２のみが設けられたオスオスタイプのプレキャスト部材Ｐと、凹部ＪＨｂ２のみが設けられたメスメスタイプのプレキャスト部材Ｐとが脚柱部３Ａの円周方向に沿って交互に配置されている。
【００７６】
凸部ＪＨａ２は、プレキャスト部材Ｐの２つの対向側面から突出するように設けられている。特に限定されるものではないが、凸部ＪＨａ２の突出長は、例えば、５０ｍｍ程度である。凹部ＪＨｂ２は、その凹んだ側を表側に向けた状態でプレキャスト部材Ｐの２つの対向側面の溝Ｄ２内に設けられている。溝Ｄ２については後ほど説明する。
【００７７】
次に、図２２（ａ）は脚柱部の上面側から見たときの水平継手の平面図、図２２（ｂ）は脚柱部の側面側から見たときの水平継手の側面図、図２２（ｃ）は図２２（ａ）のＩ−Ｉ線の断面図、図２３（ａ）は図２２（ａ）の水平継手を分解して示した平面図、図２３（ｂ）は図２２（ｂ）の水平継手を分解して示した側面図、図２３（ｃ）は図２３（ａ）のＩ−Ｉ線の断面図である。
【００７８】
図２２および図２３に示すように、水平継手ＪＨは、例えば、コッター継手が使用されている。凸部ＪＨａ２の先端には、凸部ＪＨａ２の幅より大径の中実コーン部ＪＨｊが設けられている。図２３（ｂ）に示すように、中実コーン部ＪＨｊは、凸部ＪＨａ２の上面から下面に向かって（挿入方向に沿って）次第に小径になるように形成されている。
【００７９】
凸部ＪＨａ２の根本には基部ＪＨｓ１が一体で形成されている。この基部ＪＨｓ１の後端部には、プレキャスト部材Ｐ側に向かって延びる２本の固定ピンＪＨｐ２が接合されている。基部ＪＨｓ１および固定ピンＪＨｐ２は、プレキャスト部材Ｐに埋設されており、これにより凸部ＪＨａ２がプレキャスト部材Ｐにしっかりと固定されている。
【００８０】
一方、凹部ＪＨｂ２には、中空コーン部ＪＨｋが形成されている。図２２（ｃ）および図２３（ｃ）に示すように、中空コーン部ＪＨｋは、凹部ＪＨｂ２の上面から下面に向かって（挿入方向に沿って）次第に小径になるように形成されている。また、図２２（ａ）および図２３（ａ）凹部ＪＨｂ２の先端には、その上面から下面に向かって中空コーン部ＪＨｋに連通される溝Ｄｓ２（スリット）が形成されている。
【００８１】
凹部ＪＨｂ２の根本には基部ＪＨｓ２が一体で形成されている。この基部ＪＨｓ２の後端部には、プレキャスト部材Ｐ側に向かって延びる２本の固定ピンＪＨｐ３が接合されている。基部ＪＨｓ２および固定ピンＪＨｐ３は、プレキャスト部材Ｐに埋設されており、これにより凹部ＪＨｂ２がプレキャスト部材Ｐにしっかりと固定されている。
【００８２】
そして、図２２に示すように、脚柱部３Ａの円周方向に隣接するプレキャスト部材Ｐ，Ｐ（図２１等参照）同士は、一方のプレキャスト部材Ｐの対向側面の凸部ＪＨａ２の中実コーン部ＪＨｊを、他方のプレキャスト部材Ｐの凹部ＪＨｂ２の中空コーン部ＪＨｋ内に挿入することで連結されるようになっている。
【００８３】
次に、図２４（ａ）は図２１の矢印Ｘ１の方向から見たオスオスタイプのプレキャスト部材の側面図、図２４（ｂ）は図２１の矢印Ｘ２の方向から見たメスメスタイプのプレキャスト部材の側面図、図２４（ｃ）はメスメスタイプのプレキャスト部材の対向側面の要部拡大斜視図である。なお、図２４（ｂ）では水平継手の一部（左側列）を透かして見せている。
【００８４】
図２４（ａ）に示すように、オスオスタイプのプレキャスト部材Ｐの２つの対向側面内において幅方向片端（脚柱部３Ａの外周側）近傍には、上記した水平継手ＪＨの凸部ＪＨａ２が、高さ方向に沿って所定の間隔毎に配置されている。
【００８５】
一方、図２４（ｂ）に示すように、メスメスタイプのプレキャスト部材Ｐの２つの対向側面内において幅方向片端（脚柱部３Ａの外周側）近傍には、溝Ｄ２が高さ方向に沿って所定の間隔毎に配置されている。
【００８６】
図２４（ｂ），（ｃ）に示すように、溝Ｄ２は、浅溝Ｄ２ａと深溝Ｄ２ｂとを有している。浅溝Ｄ２ａは、オスオスタイプのプレキャスト部材Ｐの凸部ＪＨａ２を横方向からメスメスタイプのプレキャスト部材Ｐの凹部ＪＨｂ２に挿入できるようにするための窪みであり、脚柱部３Ａの外周側からプレキャスト部材Ｐの内方（中心軸）に向かって次第に深くなるように形成されている。
【００８７】
一方、深溝Ｄ２ｂは、浅溝Ｄ２ａより深い一定の深さで形成されている。水平継手ＪＨの凹部ＪＨｂ２は、図２４（ｂ）に示すように、平面視で溝Ｄ２の幅方向中央よりもプレキャスト部材Ｐの内方（中心軸）側の深溝Ｄ２ｂ内にずれて配置され、かつ、溝Ｄ２の高さ方向中央よりも下側にずれて配置されている。水平継手ＪＨの凸部ＪＨａ２を凹部ＪＨｂ２に挿入するには、浅溝Ｄ２ａを通じて凸部ＪＨａ２を凹部ＪＨｂ２上方の深溝Ｄ２ｂ内に配置した後、凸部ＪＨａ２を下にスライドさせて凹部ＪＨｂ２内に挿入する。
【００８８】
なお、特に限定されるものではないが、溝Ｄ２（浅溝Ｄ２ａ、深溝Ｄ２ｂ）の高さ方向（図２４（ｂ）の上下方向）の長さは、例えば、２００ｍｍ程度、溝Ｄ２（浅溝Ｄ２ａ＋深溝Ｄ２ｂ）の幅（図２４（ｂ）の左右方向）は、例えば、１１０ｍｍ程度、深溝Ｄ２ｂの幅は、例えば、５５ｍｍ程度、深溝Ｄ２ｂの深さは、例えば、５０ｍｍ程度である。
【００８９】
次に、図２５は脚柱部の周方向に隣接するプレキャスト部材同士を連結する継手の配置の変形例を示す図であって１つのプレキャスト部材を取り外して示した平面図、図２６（ａ）は図２５の矢印Ｘ３の方向から見たオスメスタイプのプレキャスト部材の側面図、図２６（ｂ）は図２５の矢印Ｘ４の方向から見たオスメスタイプのプレキャスト部材の側面図、図２６（ｃ）はオスメスタイプのプレキャスト部材の対向側面の要部拡大斜視図である。なお、図２６（ｂ）では水平継手の一部（右側列）を透かして見せている。
【００９０】
この例では、図２５に示すように、層Ｌ内の全てのプレキャスト部材Ｐが、水平継手ＪＨの凸部ＪＨａ２と凹部ＪＨｂ２とを有するオスメスタイプのプレキャスト部材Ｐで構成されている。すなわち、プレキャスト部材Ｐの２つの対向側面のうち、一方の対向側面には水平継手ＪＨの凸部ＪＨａ２が設けられ、他方の対向側面には水平継手ＪＨの凹部ＪＨｂ２が設けられている。
【００９１】
この場合、図２６（ａ）に示すように、オスメスタイプのプレキャスト部材Ｐの１つの対向側面内において幅方向片端（脚柱部３Ａの外周側）近傍に、溝Ｄ３が高さ方向に沿って所定の間隔毎に配置されている。
【００９２】
図２６（ａ），（ｃ）に示すように、溝Ｄ３は、浅溝Ｄ３ａと深溝Ｄ３ｂとを有している。浅溝Ｄ３ａは、オスメスタイプのプレキャスト部材Ｐの凸部ＪＨａ２を横方向からオスメスタイプのプレキャスト部材Ｐの凹部ＪＨｂ２に挿入できるようにするための窪みである。ここでは、浅溝Ｄ３ａが、深溝Ｄ３ｂの左右両側に形成されている。この深溝Ｄ３ｂの左右両側の浅溝Ｄ３ａ，Ｄ３ａは、深溝Ｄ３ｂに向かって次第に深くなるように形成されている。
【００９３】
一方、深溝Ｄ３ｂは、浅溝Ｄ３ａより深い一定の深さで形成されている。水平継手ＪＨの凹部ＪＨｂ２は、図２６（ａ）に示すように、溝Ｄ３の幅方向中央の深溝Ｄ３ｂに配置され、かつ、溝Ｄ３の高さ方向中央から下側にずれた位置に配置されている。水平継手ＪＨの凸部ＪＨａ２を凹部ＪＨｂ２に挿入するには、浅溝Ｄ３ａを介して凸部ＪＨａ２を凹部ＪＨｂ２上方の深溝Ｄ３ｂ内に配置した後、プレキャスト部材Ｐ（すなわち、凸部ＪＨａ２）を下にスライドさせて凹部ＪＨｂ２内に挿入する。なお、溝Ｄ３（浅溝Ｄ３ａ、深溝Ｄ３ｂ）の各部寸法は、上記した溝Ｄ２（浅溝Ｄ２ａ、深溝Ｄ２ｂ）と同じである。
【００９４】
図２５および図２６の例の場合、プレキャスト部材Ｐを全て同一にすることができるので、プレキャスト部材Ｐの製造工程および製造後の管理を簡単化することができる。また、脚柱部３Ａの組立時にプレキャスト部材Ｐの組み合わせを間違うことがないので、脚柱部３Ａの組立工程を簡単化することができる。
【００９５】
次に、本実施の形態における脚柱部３Ａの組立方法の一例について図２７〜図３２を参照して説明する。図２７は脚柱部の組立工程中の側面図、図２８は図２７の工程の脚柱部の要部斜視図、図２９は図２７の工程後の脚柱部の側面図、図３０は図２９の工程後の脚柱部の側面図、図３１は図３０の工程後の脚柱部の側面図、図３２は図３１の工程の脚柱部の要部斜視図である。
【００９６】
まず、図２７および図２８に示すように、上記と同様に基礎部２を形成した後、上記と同様に基礎部２の脚柱部設置面上にメスメスタイプのプレキャスト部材Ｐを設置する。
【００９７】
続いて、図２９に示すように、クレーン車等（図示せず）を用いて上記オスオスタイプのプレキャスト部材Ｐを吊り上げて既設のメスメスタイプのプレキャスト部材Ｐのほぼ横に配置する。このとき、オスオスタイプのプレキャスト部材Ｐの水平継手ＪＨの凸部ＪＨａ２の高さが、メスメスタイプのプレキャスト部材Ｐの溝Ｄ２内であって水平継手ＪＨの凹部ＪＨｂ２の高さより若干高い位置になるようにする。
【００９８】
その後、オスオスタイプのプレキャスト部材Ｐをメスメスタイプのプレキャスト部材Ｐに向かって横方向（水平方向）近づけて、オスオスタイプのプレキャスト部材Ｐの水平継手ＪＨの凸部ＪＨａ２を、浅溝Ｄ２ａを介して深溝Ｄ２ｂ内に挿入する（この際、オスオスタイプのプレキャスト部材Ｐの下面の鉛直継手ＪＶの凹部ＪＶｂ２と基礎部２の鉛直継手ＪＶのピン部ＪＶａ２との位置が合う）。
【００９９】
次いで、図３０に示すように、オスオスタイプのプレキャスト部材Ｐを下降することでオスオスタイプのプレキャスト部材Ｐの水平継手ＪＨの凸部ＪＨａ２をメスメスタイプのプレキャスト部材Ｐの水平継手ＪＨの凹部ＪＨｂ２内に挿入するとともに、オスオスタイプのプレキャスト部材Ｐの鉛直継手ＪＶのピン部ＪＶａ２を基礎部２の鉛直継手ＪＶの凹部ＪＶｂ２内に挿入する。
【０１００】
これにより、図３１および図３２に示すように、オスオスタイプのプレキャスト部材Ｐを基礎部２上に設置する。このような工程を繰り返すことで、複数のプレキャスト部材Ｐを高さ方向に積み上げるとともに、高さ方向に隣接するプレキャスト部材，ＰＰ同士を鉛直継手ＪＶで連結し、かつ、脚柱部３Ａの周方向に隣接するプレキャスト部材Ｐ，Ｐ同士を水平継手ＪＨで連結して図２に示した脚柱部３Ａを組み立てる。なお、上記の説明では、メスメスタイプのプレキャスト部材Ｐを設置した後にオスオスタイプのプレキャスト部材Ｐを設置した場合について説明したが、その逆でも良い。
【０１０１】
本実施の形態においては、脚柱部３Ａの各層Ｌ内を４個のプレキャスト部材Ｐに分割したことにより、上記第１の実施の形態の場合よりも個々のプレキャスト部材Ｐを軽くすることができるので、脚柱部３Ａの組立時に個々のプレキャスト部材Ｐの取り扱いを容易にすることができる。これ以外の効果は上記第１の実施の形態と同じである。
【０１０２】
（第３の実施の形態）
【０１０３】
図３３は図２の脚柱部の他の例の拡大斜視図である。
【０１０４】
本実施の形態においては、上記の第２の実施の形態と同様にプレキャスト部材Ｐが脚柱部３Ａの円周方向に沿って４分割されているが、高さ方向に隣接するプレキャスト部材Ｐ，Ｐ同士の接触位置が、脚柱部３Ａの円周方向に沿って隣接するプレキャスト部材Ｐ毎に脚柱部３Ａの高さ方向にずれている。ここでは、高さ方向に隣接するプレキャスト部材Ｐ，Ｐ同士の接触位置が、例えば、脚柱部３Ａの円周方向に沿って千鳥状に配置されている。
【０１０５】
なお、この例では、脚柱部３Ａの最上層および最下層の一部に、プレキャスト部材Ｐとして相対的に厚さ（高さ方向の寸法）が小さいプレキャスト部材Ｐｓが設置されている。その相対的に厚さが小さいプレキャスト部材Ｐｓの厚さは、例えば、相対的に厚さが大きいプレキャスト部材Ｐの厚さの半分程度に設定されている。
【０１０６】
このように本実施の形態においては、高さ方向に隣接するプレキャスト部材Ｐ，Ｐ同士の接触位置を、脚柱部３Ａの周方向に沿ってずらしたことにより、脚柱部３Ａの強度を向上させることができる。これ以外の効果は上記第２の実施の形態と同じである。
【０１０７】
（第４の実施の形態）
【０１０８】
図３４は図２の脚柱部の他の例の拡大斜視図である。
【０１０９】
本実施の形態においては、上記の第２の実施の形態と同様にプレキャスト部材Ｐが脚柱部３Ａの円周方向に沿って４分割されているが、脚柱部３Ａの円周方向に隣接するプレキャスト部材Ｐ，Ｐ同士の接触位置が、脚柱部３Ａの高さ方向に沿って隣接するプレキャスト部材Ｐ毎に脚柱部３Ａの円周方向にずれている。ここでは、脚柱部３Ａの円周方向に隣接するプレキャスト部材Ｐ，Ｐ同士の接触位置が、例えば、高さ方向に沿って千鳥状に配置されている。なお、この例では、プレキャスト部材Ｐの寸法は全て同じである。
【０１１０】
このように本実施の形態においては、脚柱部３Ａの円周方向に隣接するプレキャスト部材Ｐ，Ｐ同士の接触位置を、高さ方向に沿ってずらしたことにより、脚柱部３Ａの強度を向上させることができる。これ以外の効果は上記第２の実施の形態と同じである。
【０１１１】
（第５の実施の形態）
【０１１２】
図３５は図２の脚柱部の他の例の拡大斜視図である。
【０１１３】
本実施の形態においては、脚柱部３Ａの最上層に、プレキャスト部材Ｐとして、脚柱部３Ａの円周方向に沿って分割されていない単体構造のプレキャスト部材（第２のプレキャスト部材）Ｐｍが設置されている。プレキャスト部材Ｐｍも上記プレキャスト部材Ｐと同様に、例えば、鉄筋コンクリートで構成されており、その内部には主筋Ｍ１および帯筋Ｍ２（図５参照）が互いに交差するように設置されている。
【０１１４】
ただし、プレキャスト部材Ｐｍの厚さ（高さ方向の寸法）は、他のプレキャスト部材Ｐの厚さよりも小さく設定されている。そのプレキャスト部材Ｐｍの厚さは、例えば、他のプレキャスト部材Ｐの厚さの半分程度に設定されている。このように最上層のプレキャスト部材Ｐｍの厚さを小さくすることにより、最上層のプレキャスト部材Ｐｍを軽くすることができるので、脚柱部３Ａの円周方向に沿って分割されているプレキャスト部材Ｐと同様に、プレキャスト部材Ｐｍの取り扱いを容易にすることができる。また、この場合、脚柱部３Ａの上端はプレキャスト部材Ｐｍで固定され、下端は基礎部２で固定されるので、脚柱部３Ａをより強固に一体化することができる。
【０１１５】
ここでは、上記第３の実施の形態の図３３に示した脚柱部３Ａの最上層にプレキャスト部材Ｐｍを設置した場合が例示されている。ただし、図３、図１７および図３４に示した脚柱部３Ａの最上層にプレキャスト部材Ｐｍを設置しても良い。また、図３、図１７、図３４の場合は、脚柱部３Ａの最上層以外の１または２以上の層Ｌにプレキャスト部材Ｐｍを設置することもできる。
【０１１６】
（第６の実施の形態）
【０１１７】
図３６は図２の脚柱部の他の例の拡大斜視図である。
【０１１８】
本実施の形態においては、脚柱部３Ａの全ての層Ｌに、プレキャスト部材Ｐとして、脚柱部３Ａの円周方向に沿って分割されていない単体のプレキャスト部材Ｐｍが設置されている。この場合もプレキャスト部材Ｐｍの厚さ（高さ方向の寸法）は、図３５で説明したのと同様に、脚柱部３Ａの直径よりも小さく設定されている。これにより、プレキャスト部材Ｐｍを軽くすることができるので、脚柱部３Ａの円周方向に沿って分割されているプレキャスト部材Ｐと同様に、プレキャスト部材Ｐｍの取り扱いを容易にすることができる。
【０１１９】
以上本発明者によってなされた発明を実施の形態に基づき具体的に説明したが、本明細書で開示された実施の形態はすべての点で例示であって、開示された技術に限定されるものではない。すなわち、本発明の技術的な範囲は、前記の実施の形態における説明に基づいて制限的に解釈されるものでなく、あくまでも特許請求の範囲の記載に従って解釈されるべきであり、特許請求の範囲の記載技術と均等な技術および特許請求の範囲の要旨を逸脱しない限りにおけるすべての変更が含まれる。
【０１２０】
例えば、前記実施の形態では、橋脚の構造や施工方法に適用した場合について説明したが、これに限定されるものではなく、例えば、橋梁の長手方向の両端に設置された橋台の構造や施工方法に適用することもできる。
【０１２１】
また、前記実施の形態では、脚柱部の高さ方向の各層内のプレキャスト部材の分割個数が同じ場合について説明したが、これに限定されるものではなく、脚柱部の高さ方向の各層内のプレキャスト部材の分割個数を変えても良い。例えば、２分割されたプレキャスト部材の層の上または下に４分割されたプレキャスト部材の層を配置しても良い。また、各プレキャスト部材Ｐの鉛直接手ＪＶおよび水平接手ＪＨは前記実施の形態に限ったものではなく、図６で示したプレキャスト部材Ｐの鉛直継手ＪＶとしてピン部ＪＶａ２と凹部ＪＶｂ２とを用いるとともに、水平継手ＪＨとして凸部ＪＨａ２と凹部ＪＨｂ２とを用いても良く、図１９で示したプレキャスト部材Ｐに鉛直継手ＪＶとしてピン部ＪＶａ１と凹部ＪＶｂ１とを用いるとともに、水平継手ＪＨとして凸部ＪＨａ１と凹部ＪＨｂ１とを用いても良い。さらに、図６で示したプレキャスト部材Ｐの溝Ｄ１（図９および図１０参照）を図２４等で示した溝Ｄ２に変え、脚柱部３Ａの組立方法として図２７〜図３２の組立工程を用いても良い。
【産業上の利用可能性】
【０１２２】
以上の説明では、本発明の橋脚および橋脚の施工方法を道路用の橋の橋脚および橋脚の施工方法に適用した場合について説明したが、例えば、鉄道用の橋、水道用の橋または歩道用の橋等、種々の橋の橋脚および橋脚の施工方法に適用することができる。
【符号の説明】
【０１２３】
１  橋梁
２  基礎部
３  橋脚
３Ａ  脚柱部
３Ｂ  梁部
４  上部構造体
Ｇ  支持地盤
Ｌ  層
Ｐ  プレキャスト部材
Ｐｓ  プレキャスト部材
Ｐｍ  プレキャスト部材
ＪＶ  鉛直継手
ＪＶａ１，ＪＶａ２  ピン部
ＪＶａｎ  爪部
ＪＶｂ１，ＪＶｂ２  凹部
ＪＶｒ  拡大空間
ＪＶｗ  支持板
ＪＶｓ１，ＪＶｓ２  基部
ＪＶｐ１，ＪＶｐ２，ＪＶｐ３  固定ピン
ＪＨ  水平継手
ＪＨａ１，ＪＨａ２  凸部
ＪＨｂ１，ＪＨｂ２  凹部
ＪＨｃ  楔部
ＪＨｄ  係止部
ＪＨｊ  中実コーン部
ＪＨｋ  中空コーン部
ＪＨｓ１，ＪＨｓ２  基部
ＪＨｐ１，ＪＨｐ２，ＪＨｐ３  固定ピン
Ｄ１，Ｄ２，Ｄ３  溝
Ｄ２ａ  浅溝
Ｄ２ｂ  深溝
Ｄ３ａ  浅溝
Ｄ３ｂ  深溝
Ｄｓ１，Ｄｓ２  溝
【図１】
2020133227.tif 000003
【図２】
2020133227.tif 000004
【図３】
2020133227.tif 000005
【図４】
2020133227.tif 000006
【図５】
2020133227.tif 000007
【図６】
2020133227.tif 000008
【図７】
2020133227.tif 000009
【図８】
2020133227.tif 000010
【図９】
2020133227.tif 000011
【図１０】
2020133227.tif 000012
【図１１】
2020133227.tif 000013
【図１２】
2020133227.tif 000014
【図１３】
2020133227.tif 000015
【図１４】
2020133227.tif 000016
【図１５】
2020133227.tif 000017
【図１６】
2020133227.tif 000018
【図１７】
2020133227.tif 000019
【図１８】
2020133227.tif 000020
【図１９】
2020133227.tif 000021
【図２０】
2020133227.tif 000022
【図２１】
2020133227.tif 000023
【図２２】
2020133227.tif 000024
【図２３】
2020133227.tif 000025
【図２４】
2020133227.tif 000026
【図２５】
2020133227.tif 000027
【図２６】
2020133227.tif 000028
【図２７】
2020133227.tif 000029
【図２８】
2020133227.tif 000030
【図２９】
2020133227.tif 000031
【図３０】
2020133227.tif 000032
【図３１】
2020133227.tif 000033
【図３２】
2020133227.tif 000034
【図３３】
2020133227.tif 000035
【図３４】
2020133227.tif 000036
【図３５】
2020133227.tif 000037
【図３６】
2020133227.tif 000038